(57)【要約】【課題】ハウジングの内面を自動的に洗浄できるレンジフードを合理的に構成する。【解決手段】レンジフードＸは、吸気口１ａと排気口１ｂとを有するハウジング１と、ハウジング１の内部に配置され、空気を吸気口１ａから排気口１ｂへと送る送風機構２と、吸気口１ａに設けられ、液体の排液口４１を有する整流板４と、ハウジング１の内部で整流板４と送風機構２との間に配置され、給液源３０に接続された給液管３と、排液口４１に接続された排液管５とを備え、給液管３には、給液源３０から供給される液体を、送風機構２に隣接するハウジング１の庫内空間１０ａに向かって吹き出す第一吹出口３３ａ，３３ｂが設けられており、整流板４は、第一吹出口３３ａ，３３ｂから吹き出された液体を受け止める液受け部４ｃを有している。【選択図】図１
2018159506.tif 000002
【特許請求の範囲】
【請求項１】
吸気口と排気口とを有するハウジングと、
前記ハウジングの内部に配置され、空気を前記吸気口から前記排気口へと送る送風機構と、
前記吸気口に設けられ、液体の排液口を有する整流板と、
前記ハウジングの内部で前記整流板と前記送風機構との間に配置され、給液源に接続された給液管と、
前記排液口に接続された排液管とを備え、
前記給液管には、前記給液源から供給される液体を、前記送風機構に隣接する前記ハウジングの庫内空間に向かって吹き出す第一吹出口が設けられており、
前記整流板は、前記第一吹出口から吹き出された液体を受け止める液受け部を有しているレンジフード。
【請求項２】
前記液受け部は、前記整流板の底部と当該底部と一体で形成された周壁部とで構成されている請求項１に記載のレンジフード。
【請求項３】
前記排液口は前記整流板の一端側に形成されており、
前記給液管は、前記整流板のうち前記排液口とは反対側である他端側から前記整流板の内面に向かって液体を吹き出す第二吹出口をさらに有している請求項１又は２に記載のレンジフード。
【請求項４】
前記整流板の前記内面は、液体が前記他端側から前記一端側に向かって流れるように傾斜している請求項３に記載のレンジフード。
【請求項５】
前記送風機構の稼働指令および停止指令を入力可能な第一入力部と、
前記第一吹出口からの液体の吹き出し指令を入力可能な第二入力部と、
前記第一吹出口の作動を制御する制御部と、をさらに備え、
前記制御部は、前記第一入力部に前記停止指令が入力され、且つ前記第二入力部に前記吹き出し指令が入力されたときに、前記第一吹出口から液体をミスト状にして噴出させる請求項１〜４のいずれか１項に記載のレンジフード。
【発明の詳細な説明】
【技術分野】
【０００１】
本発明は、自動洗浄可能なレンジフードに関する。
【背景技術】
【０００２】
調理で発生する油分を含んだ空気を排出させるレンジフードが普及している。このレンジフードは、吸気口と排気口とを有するハウジングと、空気を吸気口から排気口へと送る送風機構と、吸気口に設けられる整流板と、を備えている。空気の送風過程において、空気から分離した油分が送風機構やハウジング内面等に付着する。
【０００３】
特許文献１には、送風機構（文献では排気用羽根車）を自動洗浄する技術が開示されている。特許文献１のレンジフードは、排気用羽根車を収容する送風ケーシングと、貯水タンクからの水を送風ケーシング内に吹き出すノズルとを備えている。これにより、回転させた排気用羽根車にノズルから吹き出された水を衝突させて油膜を剥離除去し、遠心力により油分を含む水を飛散させて洗浄するものである。
【０００４】
特許文献２には、送風機構を羽根車と動力伝達部材とで構成し、この動力伝達部材の周囲に取付けられたフィルタを自動洗浄する技術が開示されている。特許文献２のレンジフードは、羽根車および動力伝達部材を収容する送風機ボックスと、タンクからの水をフィルタに吹き出すノズルとを備えている。これにより、洗剤を含浸させたフィルタに水を衝突させて、フィルタに付着した油分を取り除くものである。
【先行技術文献】
【特許文献】
【０００５】
【特許文献１】特開２０１３−４４４７１号公報
【特許文献２】特開２０１６−１３２２９号公報
【発明の概要】
【発明が解決しようとする課題】
【０００６】
空気の送風経路上にあるハウジングの内面に衝突した空気から分離された油分が、ハウジングの内面に付着する。しかし、従来のレンジフードでは、送風機構やフィルタを洗浄できても、ハウジングの内面を洗浄できるものではなかった。しかも、ハウジングの内面は、手の届きにくいレンジフードの奥側にあるため、洗浄し難い。
【０００７】
そこで、ハウジングの内面を自動的に洗浄できるレンジフードを合理的に構成することが望まれている。
【課題を解決するための手段】
【０００８】
本発明に係るレンジフードの特徴構成は、吸気口と排気口とを有するハウジングと、前記ハウジングの内部に配置され、空気を前記吸気口から前記排気口へと送る送風機構と、前記吸気口に設けられ、液体の排液口を有する整流板と、前記ハウジングの内部で前記整流板と前記送風機構との間に配置され、給液源に接続された給液管と、前記排液口に接続された排液管とを備え、前記給液管には、前記給液源から供給される液体を、前記送風機構に隣接する前記ハウジングの庫内空間に向かって吹き出す第一吹出口が設けられており、前記整流板は、前記第一吹出口から吹き出された液体を受け止める液受け部を有している点にある。
【０００９】
本構成では、給液源に接続された給液管の第一吹出口から、送風機構に隣接するハウジングの庫内空間に向かって液体を吹き出す。その結果、手の届きにくいハウジングの内面に付着した油分を自動的に洗浄することができる。
【００１０】
整流板はハウジングの吸気口に位置しており、本構成のように、整流板に液受け部としての機能を持たせれば、例えば、ハウジングの下部に別途液受け空間を設ける必要が無く、装置をコンパクトにできる。また、整流板に排液口を設けているので、液受け部で受け止めた油分が混入した液体を都度排出することが可能となり、整流板を清潔な状態にすることができる。
【００１１】
このように、ハウジングの内面を自動的に洗浄できるレンジフードを合理的に構成することができた。
【００１２】
他の構成は、前記液受け部は、前記整流板の底部と当該底部と一体で形成された周壁部とで構成されている点にある。
【００１３】
本構成のように、整流板自体を液受け部として活用すれば、別途液受け部材を設ける必要が無く、部品点数を節約することができる。
【００１４】
他の構成は、前記排液口は前記整流板の一端側に形成されており、前記給液管は、前記整流板のうち前記排液口とは反対側である他端側から前記整流板の内面に向かって液体を吹き出す第二吹出口をさらに有している点にある。
【００１５】
本構成のように整流板の内面に向かって液体を吹き出す第二吹出口をさらに設ければ、ハウジングの内面だけでなく、整流板の内面も洗浄することができる。その結果、整流板を取り外して洗浄する手間が省けるので、利便性が高い。また、整流板の両端に夫々吹出口と排液口とを設ければ、整流板の内面の全領域に液体を行き渡らせることができる。その結果、整流板の内面の全領域を清潔な状態に維持できる。
【００１６】
他の構成は、前記整流板の前記内面は、液体が前記他端側から前記一端側に向かって流れるように傾斜している点にある。
【００１７】
本構成では、整流板の内面に衝突した液体が傾斜面に沿って円滑に流れて排液口から排出されるので、液体が整流板の内面に残存することが無い。その結果、残存した液体が蒸発して、整流板の内面に油分が再付着するといった不都合が無く、整流板を清潔な状態に維持できる。
【００１８】
他の構成は、前記送風機構の稼働指令および停止指令を入力可能な第一入力部と、前記第一吹出口からの液体の吹き出し指令を入力可能な第二入力部と、前記第一吹出口の作動を制御する制御部と、をさらに備え、前記制御部は、前記第一入力部に前記停止指令が入力され、且つ前記第二入力部に前記吹き出し指令が入力されたときに、前記第一吹出口から液体をミスト状にして噴出させる点にある。
【００１９】
本構成では、ミストでハウジングの内面に付着した油分を柔らかくして浮かせた後、液受け部に油分が混入した液体が落下する。その結果、ハウジングの洗浄効率を高めることができる。また、送風機構を停止させてから整流板の洗浄を開始するので、ミストが送風機構によって強制的に排出されることが無い。しかも、吹き出し指令を入力するだけで洗浄が開始するので、使用者の手間を煩わせることも無い。
【図面の簡単な説明】
【００２０】
【図１】レンジフードの概略図である。
【図２】レンジフードの拡大斜視図である。
【図３】整流板の斜視図である。
【図４】レンジフードの制御ブロック図である。
【図５】整流板の洗浄フロー図である。
【図６】別実施形態１に係る整流板の斜視図である。
【図７】別実施形態２に係る整流板の斜視図である。
【発明を実施するための形態】
【００２１】
以下に、本発明に係るレンジフードの実施形態について、図面に基づいて説明する。ただし、以下の実施形態に限定されることなく、その要旨を逸脱しない範囲内で種々の変形が可能である。
【００２２】
本実施形態のレンジフードＸは、調理器（不図示）の上方に設けられており、調理で発生した油分を含んだ空気等を排出させるものである。図１に示すように、レンジフードＸは、ハウジング１と、送風機構２と、給水管３（給液管の一例）と、整流板４と、排水管５（排液管の一例）とを備えている。
【００２３】
ハウジング１は、空気の吸入口となる吸気口１ａと、空気の排出口となる排気口１ｂとを有している。ハウジング１と整流板４との間には、送風機構２と給水管３とが収容されている。また、ハウジング１は、排気口１ｂを有する本体部１Ａと、本体部１Ａから径方向外側に突出した突出部１Ｂと、突出部１Ｂから縮径された状態で下側に延出し、下側に開口した吸気口１ａを有する延出部１Ｃとを有している。以降では、ハウジング１の内部空間１０のうち、送風機構２に隣接した空間（本体部１Ａの送風機構２を除く内部空間と突出部１Ｂおよび延出部１Ｃの内部空間）を庫内空間１０ａと称する。
【００２４】
送風機構２は、ハウジング１の内部空間１０に配置されている。送風機構２は、モータ等で駆動されるシロッコファンを有しており、このシロッコファンが回転駆動されることで吸気口１ａから吸込んだ空気が排気口１ｂに向けて送られる。この送風機構２は、送風ケージング２１に収容されており、送風ケージング２１の底部には、小孔２１ａが形成されている。なお、送風機構２の前面（空気の上流側）にフィルタを設けても良いし、送風機構２をプロペラファンで構成しても良く、送風機構２は空気を送る構造であればどのようなものであっても良い。
【００２５】
給水管３は、送風機構２と整流板４との間に配置されている。この給水管３は、給湯器等の給湯源３０（給液源の一例）に接続されており、温水（液体の一例）をハウジング１の内部空間１０に供給可能に構成されている。給水管３には、給湯源３０から供給される温水を整流板４の内面４０（整流板４のうち内部空間１０に接している面）に向けて吹き出す第一ノズル３１（第二吹出口の一例）が設けられている（図３参照）。また、給水管３の経路上には、第一開閉弁３ａが設けられている。第一開閉弁３ａを開弁することにより、第一ノズル３１から吹き出された温水で整流板４の内面４０を洗浄する。なお、第一ノズル３１を省略しても良い。
【００２６】
第一ノズル３１は、温水をミスト状にして噴出させるミスト吹出口３１ａと、温水を塊状にして吹き出す温水吹出口３１ｂとを切替可能に構成されている。この切替構造は、ミスト吹出口３１ａと温水吹出口３１ｂとを別々に設けて開閉弁（不図示）で開閉操作しても良いし、温水吹出口３１ｂを中央に配置すると共に、ミスト吹出口３１ａを温水吹出口３１ｂの周囲に配置された微小孔で構成し、切替弁（不図示）によってミスト吹出口３１ａと温水吹出口３１ｂとを切替える構造としても良く、どのような形態であっても良い。なお、切替構造を設けずに、ミスト吹出口３１ａおよび温水吹出口３１ｂの何れか一方で構成しても良い。
【００２７】
給水管３には、給湯源３０から供給される温水を、整流板４とは反対側のハウジング１の庫内空間１０ａに向けて吹き出す第二ノズル３３ａ（第一吹出口の一例）および第三ノズル３３ｂ（第一吹出口の一例）が設けられている（図３参照）。これら第二ノズル３３ａおよび第三ノズル３３ｂは、第一開閉弁３ａよりも下流側に設けられている。第二ノズル３３ａは、ハウジング１の本体部１Ａの庫内空間１０ａに向かって温水をミスト状にして噴出させる。第三ノズル３３ｂは、ハウジング１の突出部１Ｂおよび延出部１Ｃの庫内空間１０ａに向かって温水をミスト状にして噴出させる。洗浄後のミストはハウジング１の内面に付着した油分を浮かせた液体となって整流板４に落下し、後述する整流板４の排水口４１から排出されるように構成されている。なお、第二ノズル３３ａおよび第三ノズル３３ｂの何れか１つを省略しても良いし、３つ以上設けても良い。また、第一ノズル３１，第二ノズル３３ａ，および第三ノズル３３ｂ用の給水管３を各別に設けても良いし、これら何れか２つのノズル用給水管と残りのノズル用給水管とを２つ設けても良い。
【００２８】
また、レンジフードＸは、給水管３から分岐され、送風機構２に向けて温水を吹き出す第三吹出口３２ａを有する分岐管３２を備えている。分岐管３２の経路上には、第二開閉弁３２ｂが設けられている。第二開閉弁３２ｂを開弁することにより、第三吹出口３２ａから吹き出された温水で送風機構２の内部を洗浄する。洗浄後の温水は、送風ケージング２１の底部に設けられた小孔２１ａから排出されて整流板４に落下し、後述する整流板４の排水口４１から排出されるように構成されている。なお、送風機構２を洗浄する分岐管３２を省略しても良いし、第三吹出口３２ａは、温水をミスト状にして噴出させる吹出口と温水を塊状にして吹き出す吹出口とを切替可能に構成しても良い。
【００２９】
整流板４は、ハウジング１に固定された状態で吸気口１ａに配置されている。図２に示すように、本実施形態の整流板４は、平面視においてハウジング１の延出部１Ｃの開口面積よりも大きな表面積を有しており、ハウジング１の下部開口を覆う状態で配置されている。吸込まれた空気はハウジング１の突出部１Ｂおよび延出部１Ｃと整流板４との間の空間（吸気口１ａ）から排気口１ｂに向かって流動する。これによって空気の吸気口１ａの開口面積が絞られ、調理で発生した油分を含んだ空気等の吸込速度が高まる。整流板４は底面視矩形状に形成されており、一端をハウジング１と密着させている。なお、整流板４の一端をハウジング１に密着させずに離間させても良く、特に限定されない。整流板４の一端をハウジング１に密着させずに離間させる場合、吸気口１ａが多く設けられるので、空気等の吸込速度を確実に高めることができる。なお、整流板４の固定は、ハウジング１に固定する形態に限定されず、壁に固定したり別部材に固定したりする形態であっても良い。
【００３０】
図３に示すように、整流板４は、底部４ａと底部４ａの４辺から上方に延出した側壁４ｂとを有している。整流板４のハウジング１と密着した一端側で且つ底部４ａ中央を貫通する排水口４１（排液口の一例）が設けられており、この排水口４１に排水管５が接続されている。また、整流板４は、板状部材（ステンレス板や鋼板等）をプレス加工して成形されており、ハウジング１の内部空間１０の側に開口を有するボックス形状を呈している。ここで、整流板４の底部４ａのうち、ハウジング１の内部空間１０の側の面が内面４０と定義される。
【００３１】
図１〜図３に示すように、整流板４はハウジング１の下部開口を覆う状態で配置されており、整流板４の側壁４ｂと底部４ａとで、第二ノズル３３ａからハウジング１の庫内空間１０ａに向けて吹き出されたミストを受け止める液受け部４ｃが構成されている。具体的には、第二ノズル３３ａからハウジング１の庫内空間１０ａに向けて吹き出されたミストがハウジング１の内面に接触した後、ハウジング１の内面に付着した油分がミストによって浮き上がり、油分を含む塊状の液体となって液受け部４ｃに落下する。
【００３２】
整流板４の内面４０には撥油加工や、撥水加工又は親水性加工が施されており、これにより空気に含まれる油分のこびり付きが防止される。排水口４１が設けられた整流板４の一端側とは反対側である整流板４の他端側の直上には、第一ノズル３１が設けられている。また、整流板４の内面４０は、整流板４の他端側から一端側に向かって内部空間１０から離間するように傾斜している。これによって、第一ノズル３１から吹き出された温水やミストは、傾斜した整流板４の内面４０に沿って円滑に流下し、排水口４１から排出される。また、第二ノズル３３ａおよび第三ノズル３３ｂからハウジング１の庫内空間１０ａに向けて吹き出されたミストも、整流板４の液受け部４ｃに落下した後、整流板４の内面４０に沿って円滑に流下し、排水口４１から排出される。
【００３３】
なお、整流板４の他端側から一端側に向かって傾斜面を設けずに、第一ノズル３１の直下位置よりも排水口４１が低くなるように傾斜面を有していれば良く、特に限定されない。例えば、整流板４の中間位置から排水口４１までを内部空間１０から離間するように傾斜させても良い。また、整流板４の内面４０を傾斜させなくても良い。
【００３４】
排水管５は、整流板４の一端に設けられた排水口４１に接続されており、壁Ｗに埋設された状態で下水道管に合流している。
【００３５】
図４は、レンジフードＸに備えられている機能部を表す機能ブロック図である。本実施形態における各機能部は、各種処理を実行するプロセッサやメモリを中核としてハードウェア又はソフトウェア或いはその両方で構築されている。
【００３６】
レンジフードＸは、使用者がレンジフードＸの操作を入力可能なリモートコントローラＲ（入力部の一例であり、入力部がレンジフードＸに内蔵されていても良い。）と、リモートコントローラＲからの出力信号を受けてレンジフードＸの作動を制御する制御部Ｃとを備えている。なお、リモートコントローラＲからの出力信号を制御部Ｃに伝達する手段は、無線通信であっても、有線通信であっても良い。
【００３７】
リモートコントローラＲは、送風機構２の稼働指令を入力可能な稼動ボタン５１（第一入力部の一例）と、送風機構２の停止指令を入力可能な停止ボタン５２（第一入力部の一例）と、レンジフードＸの洗浄指令を入力可能な洗浄ボタン５３（第二入力部の一例）と、を備えている。なお、リモートコントローラＲは、電源ボタン等の他の機能ボタンも有しているが説明を省略する。
【００３８】
洗浄ボタン５３は、少なくともハウジング１の内面および整流板４の内面４０の洗浄指令を入力可能に構成されている。上述したように、送風機構２の洗浄機能を有する場合は、洗浄ボタン５３を押下することで、ハウジング１の内面および整流板４に加えて送風機構２も洗浄するように構成されている。なお、稼動ボタン５１および停止ボタン５２は、１つのボタンで入／切を変更できるように構成しても良いし、２つのボタンで構成しても良い。また、洗浄ボタン５３は、ハウジング１の内面および整流板４を洗浄するためのボタンと送風機構２を洗浄するためのボタンとを２つ備えていても良いし、ハウジング１の内面を洗浄するためのボタンと整流板４を洗浄するためのボタンとを別々に設けても良いし、洗浄停止ボタンを別途設けても良い。
【００３９】
制御部Ｃは、リモートコントローラＲからの出力信号に基づいてレンジフードＸの作動の要否を判定する判定部６１と、判定部６１の判定結果を受けて送風機構２の作動を制御する送風機構制御部６２と、判定部６１の判定結果を受けて少なくともハウジング１の内面および整流板４の内面４０の洗浄処理を制御する洗浄制御部６３と、判定部６１の判定結果を受けて使用者にレンジフードＸの状態を報知する報知部６４と、を備えている。
【００４０】
判定部６１は、使用者が稼動ボタン５１を押下すると、送風機構２の稼働信号を送風機構制御部６２に伝達し、使用者が停止ボタン５２を押下すると、送風機構２の停止信号を送風機構制御部６２に伝達する。また、判定部６１は、送風機構２の総運転時間が第一所定時間Ｔ１（例えば１時間）以上か否かを判定する。さらに、判定部６１は、停止ボタン５２および洗浄ボタン５３が押下されたとき、少なくともハウジング１の内面および整流板４の内面４０の洗浄指令を洗浄制御部６３に伝達する。このとき、判定部６１は、第二ノズル３３ａおよび第三ノズル３３ｂからミストを噴出する時間が第二所定時間Ｔ２（例えば１５分）となったか否かを判定する。また、ミスト吹出口３１ａからミストを噴出する時間が第三所定時間Ｔ３（例えば１０分）となったか否かを判定すると共に、温水吹出口３１ｂから温水を塊状にして吹き出す時間が第四所定時間Ｔ４（例えば５分）以上となったか否かを判定する。
【００４１】
送風機構制御部６２は、判定部６１から稼動信号を受けたとき、送風機構２を駆動させて、調理で発生した油分を含んだ空気等を吸気口１ａから吸引し、排気口１ｂから排出させる。また、送風機構制御部６２は、判定部６１から停止信号を受けたとき、送風機構２を停止させる。
【００４２】
洗浄制御部６３は、判定部６１から洗浄指令を受けたとき、第一開閉弁３ａを開弁して第二ノズル３３ａおよび第三ノズル３３ｂからハウジング１の庫内空間１０ａに向けてミストを吹き出すと共に、第一ノズル３１から整流板４の内面４０に向けてミスト又は温水を吹き出す。このとき、第二開閉弁３２ｂも開弁して、第三吹出口３２ａから送風機構２の内部に向けて温水を吹き出しても良い。なお、洗浄制御部６３は、判定部６１から洗浄指令を受けたときに第一開閉弁３ａを必ず開弁し、第二開閉弁３２ｂは、洗浄指令の複数回に１回ごとに開弁するように構成しても良い。また、第二ノズル３３ａおよび第三ノズル３３ｂ用の第一開閉弁３ａと第一ノズル３１用の第一開閉弁３ａとを別々に設けても良いし、第一ノズル３１，第二ノズル３３ａおよび第三ノズル３３ｂ用の第一開閉弁３ａを各別に設けても良い。
【００４３】
報知部６４は、判定部６１から送風機構２の総運転時間が第一所定時間Ｔ１以上であるとの判定結果を受けたとき、使用者に洗浄時期が来たことを報知する。報知形態としては、例えば、洗浄ボタン５３を点滅させたり、音声で報知したり、別途設けた発光部（例えば、ＬＥＤライト）を点灯させたりする。これによって、使用者に洗浄ボタン５３を押下するように促すことができる。また、報知部６４は、送風機構２が駆動中である場合に稼動ボタン５１を点灯させ、レンジフードＸを洗浄中である場合に洗浄ボタン５３を点灯させる。
【００４４】
続いて、図５を用いて、本実施形態に係る整流板４の洗浄方法の一例について説明する。
【００４５】
電源がＯＮとなり、使用者が稼動ボタン５１を押下すると、送風機構２の運転が開始する（♯７１）。次いで、判定部６１は、使用者が停止ボタン５２を押下して送風機構２の停止指令が入力されたか否かを判定する（♯７２）。送風機構２の停止指令が入力されていない場合（♯７２Ｎо判定）、送風機構２の運転を継続する。一方、送風機構２の停止指令が入力された場合（♯７２Ｙｅｓ判定）、判定部６１は、送風機構２の総運転時間が第一所定時間Ｔ１以上か否かを判定する（♯７３）。送風機構２の総運転時間が第一所定時間Ｔ１以上の場合（♯７３Ｙｅｓ判定）は、報知部６４によって洗浄時期が来たことを使用者に報知する（♯７４）。
【００４６】
次いで、使用者が洗浄ボタン５３を押下して洗浄指令があった場合（♯７５Ｙｅｓ判定）、判定部６１は、整流板４の洗浄指令を洗浄制御部６３に伝達する。そして、洗浄指令を受けた洗浄制御部６３は、第一開閉弁３ａを開弁操作して、第二ノズル３３ａおよび第三ノズル３３ｂからハウジング１の庫内空間１０ａに向けてミストを噴出させると共に、第一ノズル３１のミスト吹出口３１ａから整流板４の内面４０に向けてミストを噴出させる（♯７６）。これによって、ハウジング１の内面や整流板４の内面４０に付着した油分を柔らかくして浮かせる。
【００４７】
そして、第二ノズル３３ａおよび第三ノズル３３ｂからミストを噴出する時間が第二所定時間Ｔ２以上となった場合（♯７７Ｙｅｓ判定）、洗浄を停止して（♯７８）、洗浄処理を終了する。なお、洗浄指令があった場合（♯７５Ｙｅｓ判定）、第一ノズル３３のミスト吹出口３１ａからミストを噴出させた後、温水吹出口３１ｂに切り替えて温水を塊状にして吹き出す処理も同時に行われるが、図示を省略する。
【００４８】
洗浄処理が終了すると、報知部６４は、洗浄ボタン５３を消灯すると共に、音声や発光部の消灯等によって洗浄終了を使用者に報知する。このように、送風機構２を停止させてから、整流板４の洗浄を開始するので、ミストが送風機構２によって強制的に排出されるといった不都合を防止できる。
【００４９】
本実施形態では、給湯源３０に接続された給水管３の第二ノズル３３ａおよび第三ノズル３３ｂから、送風機構２に隣接するハウジング１の庫内空間１０ａに向かってミストを吹き出す。その結果、手の届きにくいハウジング１の内面に付着した油分を自動的に洗浄することができる。
【００５０】
また、整流板４はハウジング１の下部開口側に位置しており、整流板４に液受け部４ｃとしての機能を持たせれば、ハウジング１の下部に別途液受け空間を設ける必要が無く、装置をコンパクトにできる。
【００５１】
本実施形態では、第一ノズル３１が整流板４の内面４０に向けて温水を吹き出すように構成されているので、整流板４の内面４０に付着した油分を強制的に洗浄することができる。しかも、整流板４に排水口４１を設けているので、油分が混入した温水を都度排出することが可能となり、整流板４を清潔な状態にすることができる。
【００５２】
本実施形態では、整流板４が第一ノズル３１の直下位置よりも排水口４１が低くなるように傾斜面を設けているので、整流板４の内面４０に衝突した温水が傾斜面に沿って円滑に流れて排水口４１から排出される。その結果、油分を含んだ水が整流板４の内面４０に残存することが無く、残存した水が蒸発して、整流板４の内面４０に油分が再付着するといった不都合が無い。しかも、整流板４の一端側に排水口４１を設け、整流板４の他端側の直上に第一ノズル３１を設けているので、整流板４の内面４０の全領域に温水を行き渡らせることができる。
【００５３】
本実施形態では、第一ノズル３１がミストと塊状の温水とを吹き出し可能に形成されているので、ミストで整流板４に付着した油分を柔らかくして浮かせた後、塊状の温水で強制的に油分を洗い流すことが可能となる。その結果、整流板４の洗浄効率を高めることができる。
【００５４】
［その他の実施形態］
（１）図６に示すように、整流板４の底部４ａや側壁４ｂに液受け板４２を固定して、この液受け板４２にハウジング１の庫内空間１０ａに向けて吹き出されたミストを受け止める液受け部４ｃの機能を持たせても良い。この場合、別途液受け板４２を用意する必要があるが、整流板４に特別な加工を施して液受け部４ｃを形成する必要が無く、汎用性を高めることができる。
【００５５】
（２）図７に示すように、第一ノズル３１を整流板４の側壁４ｂに形成した貫通孔部４３に挿入して、第一ノズル３１の先端を整流板４の内部に露出させても良い。この場合でも、整流板４の内面４０の傾斜に沿って、温水を円滑に流動させることができる。
【００５６】
（３）第一ノズル３１，第二ノズル３３ａ，および第三ノズル３３ｂから吹き出す液体は、温水に限定されず、冷水でも良いし、水に薬剤を混合させた洗浄液であっても良い。
【００５７】
（４）第二ノズル３３ａおよび第三ノズル３３ｂは、ハウジング１の庫内空間１０ａに向けてミストを噴出させるものであれば、数量や配置は特に限定されない。また、第二ノズル３３ａおよび第三ノズル３３ｂから塊状の温水を吹き出すように構成しても良い。
【００５８】
（５）排水口４１は、整流板４の底部４ａ中央を貫通させて形成したが、整流板４の底部４ａの側方を貫通形成しても良いし、整流板４の側壁４ｂ下部を貫通形成しても良い。また、排水口４１を複数設けても良いし、排水口４１に接続される排水管５に開閉弁を設けて洗浄時のみ開弁するように構成しても良い。
【００５９】
（６）第一ノズル３１は、整流板４の中央の直上や側壁４ｂに１箇所設ける形態に限定されない。例えば、第一ノズル３１を２つ設け、整流板４の両端の直上や整流板４の対向する側壁４ｂに夫々配置しても良いし、第一ノズル３１を３つ以上設けて配置しても良い。また、第一ノズル３１をミスト吹出口３１ａおよび温水吹出口３１ｂの何れか一方のみで構成しても良い。
【００６０】
（７）上述した実施形態では、給水管３を給湯器等の給湯源３０と直接接続したが、給湯源３０と第一開閉弁３ａとの間に貯留タンクを設けて、この貯留タンクからポンプで洗浄液を供給できるような構成にしても良い。
【００６１】
（８）第二ノズル３３ａおよび第三ノズル３３ｂからミストを噴出する第二所定時間Ｔ２、第一ノズル３１からミストを噴出する第三所定時間Ｔ３、および温水を塊状にして吹き出す第四所定時間Ｔ４は、洗浄処理が実行されていない送風機構２の総運転時間に応じて適宜変更しても良い。
【００６２】
なお、上述した実施形態（別実施形態を含む、以下同じ）で開示される構成は、矛盾が生じない限り、他の実施形態で開示される構成と組み合わせて適用することが可能である。また、本明細書において開示された実施形態は例示であって、本発明の実施形態はこれに限定されず、本発明の目的を逸脱しない範囲内で適宜改変することが可能である。
【産業上の利用可能性】
【００６３】
本発明は、調理器の上方に設けられるレンジフードに利用可能である。
【符号の説明】
【００６４】
１      ハウジング
１ａ    吸気口
１ｂ    排気口
２      送風機構
３      給水管（給液管）
４      整流板
４ｃ    液受け部
５      排水管（排液管）
１０ａ  庫内空間
３０    給湯源（給液源）
３１    第一ノズル（第二吹出口）
３３ａ  第二ノズル（第一吹出口）
３３ｂ  第三ノズル（第一吹出口）
４０    内面
４１    排水口（排液口）
５１    稼動ボタン（第一入力部）
５２    停止ボタン（第一入力部）
５３    洗浄ボタン（第二入力部）
Ｃ      制御部
Ｘ      レンジフード
【図１】
2018159506.tif 000003
【図２】
2018159506.tif 000004
【図３】
2018159506.tif 000005
【図４】
2018159506.tif 000006
【図５】
2018159506.tif 000007
【図６】
2018159506.tif 000008
【図７】
2018159506.tif 000009